(57)【要約】【課題】耐久性を有しかつ伸縮性に優れた意匠糸及びその意匠糸を使用した手袋を提供する。【解決手段】芯糸２と、この芯糸２の周囲に配置される浮き糸３と、前記芯糸２及び浮き糸３に巻き付けた押さえ糸４とからなる意匠糸１であって、前記芯糸２はポリウレタン繊維糸を含有し、また前記浮き糸３はアラミド繊維を含有することを特徴とする。この意匠糸１は芯糸２にポリウレタン繊維糸を含有し、また浮き糸３にアラミド繊維を含有しているため、伸縮性に富むとともに耐久性にも優れている。この意匠糸１を使用した手袋では手の大きさや指の動きに追随して伸縮可能であり、生地が伸張した場合でも隙間が形成されにくく、耐久性に優れている。【選択図】図４
2013185286.tif 000002
【特許請求の範囲】
【請求項１】
芯糸と、この芯糸の周囲に配置される浮き糸と、前記芯糸及び浮き糸に巻き付けた押さえ糸とからなる意匠糸であって、
前記芯糸はポリウレタン繊維糸を含有し、また前記浮き糸はアラミド繊維を含有することを特徴とする意匠糸。
【請求項２】
前記浮き糸は無撚りであり、ループ状、毛羽状又はこれらが混在した形状をなすことを特徴とする請求項１に記載の意匠糸。
【請求項３】
前記芯糸は、ポリウレタン繊維糸にアラミド繊維を巻き付けたカバードヤーンであることを特徴とする請求項１又は２に記載の意匠糸。
【請求項４】
前記押さえ糸は、アラミド繊維の紡績糸であることを特徴とする請求項１乃至３のいずれか一項に記載の意匠糸。
【請求項５】
請求項１乃至４のいずれか一項に記載の意匠糸を使用して編み込み形成した手袋。
【発明の詳細な説明】
【技術分野】
【０００１】
本発明は、伸縮性に富むかさ高性の意匠糸及びその意匠糸を使用した手袋に関する。
【背景技術】
【０００２】
従来より、芯糸の周囲に浮き糸を配置してさらにその芯糸及び浮き糸の上から押さえ糸を巻き付けて構成された意匠撚糸が存在している。また芯糸等にアラミド繊維を使用した意匠糸はアラミド繊維による耐久性に優れていることに鑑み、この意匠糸を使用した手袋等が提案されている（特許文献１）。
【先行技術文献】
【特許文献】
【０００３】
【特許文献１】特開２００９−６８１３８号公報（特許請求の範囲）
【発明の概要】
【発明が解決しようとする課題】
【０００４】
ところが、上記特許文献１に記載されている意匠糸は浮き糸を備えているため浮き糸を有しない糸に比べてかさ高性は得られるものの、芯糸をアラミド繊維から構成していることから伸縮性に乏しい意匠糸となる。このため、この意匠糸を使用して手袋を編み込み等により製造しても、手袋全体として伸縮性に乏しく手の大きさや手の動きに追随しにくいものとなっていた。また、このような問題点は手袋のみならず人が着用する衣類や柔軟性を求められる編織生地全般にもいえることである。
【０００５】
そこで、本発明は、上記事情に鑑み、耐久性を有しかつ伸縮性に優れた意匠糸及びその意匠糸を使用した手袋を提供することを目的とする。
【課題を解決するための手段】
【０００６】
上記目的を達成するために、請求項１に係る発明は、芯糸と、この芯糸の周囲に配置される浮き糸と、前記芯糸及び浮き糸に巻き付けた押さえ糸とからなる意匠糸であって、前記芯糸はポリウレタン繊維糸を含有し、また前記浮き糸はアラミド繊維を含有することを特徴とする。
【０００７】
請求項２に係る発明は、前記浮き糸は無撚りであり、ループ状、毛羽状又はこれらが混在した形状をなすことを特徴とする。
請求項３に係る発明は、前記芯糸は、ポリウレタン繊維糸にアラミド繊維を巻き付けたカバードヤーンであることを特徴とする。
【０００８】
請求項４に係る発明は、前記押さえ糸は、アラミド繊維の紡績糸であることを特徴とする。
請求項５に係る発明は、請求項１乃至４のいずれか一項に記載の意匠糸を使用して編み込み形成した手袋である。
【発明の効果】
【０００９】
本発明によれば、耐久性を有しかつ伸縮性に優れた意匠糸及びその意匠糸を使用した手袋を提供することができる。
【図面の簡単な説明】
【００１０】
【図１】ループ状の浮き糸を有する意匠糸の概要図
【図２】毛羽状の浮き糸を有する意匠糸の概要図
【図３】ループ状と毛羽状が混在した浮き糸を有する意匠糸の概要図
【図４】意匠糸の製造装置の概要図
【発明を実施するための形態】
【００１１】
以下、本発明を具体化した意匠糸１の一実施形態を図１〜図３にしたがって説明する。
本実施形態の意匠糸１は図１〜図３に示すように、芯糸２と、この芯糸２の周囲に配置される浮き糸３と、芯糸２及び浮き糸３に巻き付けられた押さえ糸４とから構成されている。
【００１２】
芯糸２は、ポリウレタン繊維糸５を中心としてその周囲をポリウレタン以外の材質からなる他の繊維糸６が覆う構成であり、これにより芯糸２を構成する他の繊維糸６がポリウレタン繊維糸５の伸縮を阻害せず、伸縮性に富む意匠糸１を得ることができる。ポリウレタン繊維糸５はその伸縮性を発揮するために長繊維（フィラメント）であることが好ましく、そのためには少なくとも１本のポリウレタン繊維糸５を使用すれば足りるが強度や伸びの強さ等を考慮して２本以上のポリウレタン繊維糸５を引き揃えて使用してもよい。
【００１３】
また、ポリウレタン繊維糸５の周囲を覆ってポリウレタン繊維糸５とともに芯糸２を構成する他の繊維糸６は、その種類を問わず使用可能であり、レーヨン等の再生繊維、アセテート等の半合成繊維、ナイロンやアラミド繊維等の合成繊維、綿、羊毛等の天然繊維などを使用することができる。他の繊維糸６の形態もナイロン、アラミド繊維等を長繊維のまま使用した撚糸や、綿や羊毛、アクリル、ナイロン、ポリエステル、アラミド繊維等の短繊維（ステープル）を一種又は複数種混紡して形成した紡績糸や粗糸を使用することができる。
【００１４】
芯糸２の形態としては、ポリウレタン繊維糸５の周囲に一本又は二本の他の繊維糸６を螺旋状に巻き付けたシングル又はダブルのカバードヤーン、ポリウレタン繊維糸５の外側を粗糸等の他の繊維糸６で包んで紡績したコアスパンヤーンなどを使用することができる。
【００１５】
浮き糸３は、少なくともアラミド繊維を含有することが必要である。アラミド繊維を含有する糸を浮き糸３として使用することにより耐久性を有する意匠糸１とすることができる。アラミド繊維は全芳香族ポリアミド系繊維として定義される繊維であり、具体的商品名として東レ・デュポン株式会社が販売しているケブラー（登録商標）がある。アラミド繊維は原料によってパラ系アラミド繊維とメタ系アラミド繊維に大別することができるがそのいずれも使用することができる。また使用するアラミド繊維の形態も長繊維を使用した撚糸、短繊維を使用した紡績糸、無撚糸等のいずれを使用してもよく、アラミド繊維のみを浮き糸３として使用することはもちろん他の繊維と混紡して使用してもよく、その際にも無撚、加撚を問わない。なお、使用するアラミド繊維にはその表面にコーティング等を施して紫外線耐性を付与するなど用途に応じた付加加工を行ってもよい。
【００１６】
一般に、浮き糸３としてアラミド繊維の長繊維の撚糸や短繊維を使用した場合には図１に示すようなループ状の浮き糸３が形成された意匠糸１となる。一方、浮き糸３としてアラミド繊維の短繊維を使用した場合でも使用するアラミド繊維の繊維長や起毛加工等によっては図２に示すように浮き糸３が毛羽状になったり或いは図３に示すようにループ状と毛羽状とが混在する浮き糸３が形成された意匠糸１となる。このように浮き糸３が毛羽状となる場合、浮き糸３を構成する各繊維の少なくとも一端は押さえ糸４により固定されていない状態となるため、浮き糸３として使用する繊維も芯糸２から脱落しにくい長さを選択することが好ましい。
【００１７】
押さえ糸４は、芯糸２と浮き糸３の周囲に巻き付けることにより芯糸２から浮き糸３が離脱するのを防止する機能を有しており、この機能を発揮する限り繊維の種類や形態は問わず、レーヨン等の再生繊維、アセテート等の半合成繊維、ナイロンやアラミド繊維等の合成繊維、綿、羊毛等の天然繊維などを使用することができる。また、押さえ糸４の形態もナイロン、アラミド繊維等の長繊維を使用した撚糸や、綿や羊毛、アクリル、ナイロン、ポリエステル、アラミド繊維等の短繊維を一種又は複数種混紡して形成した紡績糸や粗糸を使用することができる。
【００１８】
なお、本発明の意匠糸１では浮き糸３として他の繊維に比べて高強度のアラミド繊維を使用するため、押さえ糸４として使用する糸も、アラミド繊維を含有した浮き糸３にループ、毛羽等の膨らみを形成しかつこの浮き糸３を芯糸２に押さえつける強度等を有した糸を使用することが好ましい。
【００１９】
次に、上記の意匠糸の製造装置１０について説明する。図４に製造装置１０の概要図を示す。図中の製造装置１０は上側に原料を配置し、順次下向き（下流）に原料を送りながら加工し、下側で完成した意匠糸１を巻き取る構成となっている。製造装置１０の上部には、意匠糸１の原料となる繊維糸が巻き付けられた複数のボビンが配置されている。具体的には、図中の製造装置１０の左上には芯糸２が巻き付けられた芯糸用ボビン１１が回転自在に配置されている。芯糸用ボビン１１の下流には駆動装置（図示しない、以下同様）により回転駆動される芯糸送りローラ１２と、内部が中空状の筒である中空ガイド１３が配置されている。中空ガイド１３の出口は芯糸２と浮き糸３とが合流する合流部１４となっており、芯糸用ボビン１１から引き出された芯糸２は、芯糸送りローラ１２と中空ガイド１３を経由して合流部１４へと供給される。合流部１４の下流には芯糸２と浮き糸３とに仮撚り加工を行う仮撚加工部１５が配置されている。
【００２０】
また、芯糸用ボビン１１の側方には、浮き糸３の原糸となる浮き糸用粗糸３３が巻き付けられた浮き糸用ボビン１６が回転自在に配置されている。浮き糸用ボビン１６の下流にはガイドローラ１７と延伸加工部１８とが配置されている。この延伸加工部１８は上流側からバックローラ１９、ミドルローラ２０、フロントローラ２１の３組のローラによって構成され、このうちミドルローラ２０はその周囲を無端状ベルト２２で覆われていてミドルローラ２０の回転に伴って無端状ベルト２２も回転する。延伸加工部１８の各ローラのうちバックローラ１９の送り出し速度が最も遅く、また、フロントローラ２１の送り出し速度が最も速く設定されており、この速度差を調整することにより１０〜３０倍程度の延伸加工が可能である。フロントローラ２１の出口は芯糸２との合流部１４となっており、フロントローラ２１の出口と中空ガイド１３の出口とは対向した位置関係にある。
【００２１】
合流部１４の下流に位置する仮撚加工部１５は駆動装置により回転する仮撚スピンドル２３を備えた公知の装置であり、芯糸２及び浮き糸３はこの仮撚スピンドル２３を経由することによって加撚と解撚を受けてかさ高な糸となる。
【００２２】
仮撚加工部１５の下流には、中空筒状をなし駆動装置により回転する押さえスピンドル２４が配置され、仮撚加工が施された芯糸２及び浮き糸３はこの押さえスピンドル２４の内部へと導入される。押さえスピンドル２４の外周には押さえ糸４が巻き付けられた押さえ糸用ボビン２５が装着され、押さえ糸用ボビン２５は押さえスピンドル２４と一体回転する。押さえ糸用ボビン２５から上方に引き出された押さえ糸４は、芯糸２及び浮き糸３とともに押さえスピンドル２４内に導入されている。
【００２３】
押さえスピンドル２４の出口には金属ワイヤをＶ字状に形成した加撚体であるＶスピナー２６が固定され、押さえスピンドル２４と一体回転する。芯糸２及び浮き糸３の周囲に押さえ糸４が巻き付けられた意匠糸１はこのＶスピナー２６にＳ字状或いはＺ字状に巻き付けられて下流に案内される。押さえスピンドル２４の下流には駆動装置により回転駆動するフィードローラ２７が配置され、その下流にはガイドローラ２８を経由して巻き取り用ボビン２９が配置されている。
【００２４】
芯糸２を送り出すための芯糸送りローラ１２、延伸加工部１８、仮撚スピンドル２３、押さえスピンドル２４、フィードローラ２７及び巻き取り用ボビン２９は、それぞれ同期して回転動作することにより、芯糸２と浮き糸３の合流、仮撚加工、押さえ糸４の巻き付け、さらに製造された意匠糸１の巻き取り動作を連続して行うことができる。
【００２５】
なお、上記に示した芯糸２、浮き糸３、押さえ糸４の種類、長さ及び太さの一例を示すと、芯糸は１４デシテックスのポリウレタンモノフィラメントとこの周囲に巻き付けられたアラミド短繊維（繊維長５０〜１５０ｍｍ）からなる１５０デシテックスの紡績糸を使用したシングルのカバードヤーンである。また、浮き糸３は、浮き糸用粗糸３３としてアラミド短繊維（繊維長５０〜１５０ｍｍ）からなる５０００デシテックスの無撚り糸を使用し、これを延伸加工部１８にて２１０デシテックスに延伸した糸を浮き糸３として使用する。押さえ糸４はアラミド短繊維（繊維長５０〜１５０ｍｍ）からなる１５０デシテックスの紡績糸である。
【００２６】
また、製造装置１０の駆動条件の一例を示すと、芯糸送りローラ１２及びフィードローラ２７の送り出し速度は１２ｍ／分であり、延伸加工部１８による浮き糸３の延伸率は２４倍であり、フロントローラ２１の送り出し速度は３６ｍ／分である。このため、合流部１４において浮き糸３は芯糸２の３倍の送り出し速度で供給される。仮撚加工部１５での仮撚スピンドル２３の回転数は６００回／ｍであり、押さえスピンドル２４の回転数は仮撚スピンドル２３と同方向に５００回／ｍである。仮撚スピンドル２３の回転数と押さえスピンドル２４の回転数を調整することによって意匠糸１に形成される浮き糸３の意匠糸１の長さ当たりループ数や形成される浮き糸３のループの大きさ（直径）を決定、変更することができる。
【００２７】
次に、先に説明した製造装置１０を使用した意匠糸１の製造方法について説明する。
芯糸用ボビン１１に巻き付けられている芯糸２は芯糸送りローラ１２及び中空ガイド１３を経て一定速度で送り出され、合流部１４に供給される。また、浮き糸用ボビン１６に巻き付けられている浮き糸用粗糸３３は延伸加工部１８にて延伸されて所定の太さを有する浮き糸３となってフロントローラ２１から合流部１４に供給され、この合流部１４にて芯糸２と浮き糸３とが合流する。仮撚加工部１５での糸の移動速度は下流にあるフィードローラ２７の送り出し速度によって制御され、この送り出し速度は芯糸送りローラ１２の送り出し速度と同じ速度に設定されている一方、フロントローラ２１における浮き糸３の送り出し速度は芯糸２の３倍である。このため、芯糸２は芯糸送りローラ１２からフィードローラ２７まで略一定速度にて滞留せずに送られるのに対して、浮き糸３はフロントローラ２１を出たところの合流部１４にてフロントローラ２１とフィードローラ２７との送り出し速度の差分が滞留し、浮き糸３は蛇行状態で芯糸２に合流することとなる。また、この状態で芯糸２と浮き糸３に仮撚加工が施されるため、浮き糸３にはより強い仮撚りが掛けられてかさ高に加工される。
【００２８】
また、仮撚加工部１５を経て一定速度で送られていく芯糸２及び浮き糸３にはその周囲に押さえ糸４が連続的に巻き付けられていき、浮き糸３は一部が押さえ糸４によって芯糸２に固定され、押さえ糸４が巻き付けられていない部分では浮き糸３が芯糸２から飛び出すループが形成されることとなる。なお、浮き糸３として使用されている繊維長によっては浮き糸３を構成する繊維同士の連続性が解消され、ループ状ではなく毛羽状の浮き糸３が形成されることにもなる。押さえ糸４が巻き付けられた意匠糸１は、押さえスピンドル２４の下端に配置されたＶスピナー２６を経由する際に押さえスピンドル２４の回転に基づく撚りが掛けられ、フィードローラ２７を経て巻き取り用ボビン２９に巻き取られていく。
【００２９】
この方法により製造された意匠糸１は伸縮性及び耐久性に優れているため手袋をはじめとする衣類や伸縮性を要求される用途の編織生地に使用することができる。
上記実施形態の意匠糸によれば、以下のような効果を得ることができる。
【００３０】
（１）上記実施形態の意匠糸１では浮き糸３としてアラミド繊維を使用している。このため意匠糸１としてかさ高性を有しつつ、耐久性を有することができる。
（２）上記実施形態の意匠糸１では芯糸２としてポリウレタン繊維糸５を有している。このため意匠糸１として伸縮性に優れたものとなる。
【００３１】
（３）上記実施形態の意匠糸１ではループ状、毛羽状或いはこれらの混在した形状の浮き糸３を有している。この意匠糸１を使用した編織生地を伸張させた場合でも、伸びにともなう糸と糸との間を浮き糸が覆い隠すこととなり、生地にした場合に隙間が生じにくい。
【００３２】
（４）また、かさ高性により意匠糸１の見かけの重さが少ないものとなり、比重の高い繊維を使用した場合により効果がある。
（５）意匠糸１の浮き糸３は無撚りである。このため、浮き糸３のループ或いは毛羽状部分が広がり、ループの大きさも均一ではなく（直径１〜４ミリ程度のループが混在する）ばらついたものとなって生地にした場合に隙間が形成されにくい。
【００３３】
（６）上記実施形態の意匠糸１は伸縮性に優れているため、この意匠糸１を使用して手袋を編み込み形成した場合でも手の大きさや手の動きに追随することができ、またアラミド繊維からなる浮き糸により耐久性が高いものとなる。
【００３４】
なお、上記実施形態は以下のように変更してもよい。
○  芯糸２としてポリウレタン繊維糸５の周囲を繊維糸６で覆ったカバードヤーンを使用したが、上記製造装置１０で芯糸２を同時に製造してもよい。すなわち、上記製造装置１０に芯糸２を構成するポリウレタン繊維糸５を巻き付けたボビンと、同じくポリウレタン繊維糸５の周囲に巻き付ける他の繊維糸６とを巻き付けたボビンとをそれぞれ設置する。ポリウレタン繊維糸５と他の繊維糸６とを同時に或いは速度調整しながら送り出してポリウレタン繊維糸５の周囲を他の繊維糸６で覆って芯糸２を製造し、これを合流部１４へと供給する。これにより、意匠糸１の製造現場にて芯糸２それ自体も製造することができる。
【００３５】
○  浮き糸３として延伸していない浮き糸用粗糸３３を使用したが、延伸加工を施した紡績糸を使用することにより意匠糸１の製造装置１０内で延伸加工を省略してもよい。
○  意匠糸１には撚りを掛けずに巻き取り用ボビン２９に巻き取っているが、巻き取り用ボビン２９にリング紡績機を設置し、意匠糸１に撚りを掛けから巻きとってもよい。また、他の方法で意匠糸１に撚りを掛けてもよい。
【００３６】
○  芯糸２を構成する他の繊維糸６、浮き糸３、押さえ糸４にすべてアラミド繊維を使用したが、浮き糸３にアラミド繊維を含有した繊維を使用する以外は他の繊維を使用してもよい。
【００３７】
○  製造した意匠糸１に起毛加工を施して浮き糸３のかさ高性をより増加させてもよい。
次に、上記実施形態及び別例から把握できる技術的思想について、それらの効果とともに以下に追記する。
【００３８】
（ａ）意匠糸１に起毛加工を施した起毛意匠糸。この（ａ）に記載の発明によれば、よりかさ高性を発揮することができる。
【符号の説明】
【００３９】
１・・意匠糸、２・・芯糸、３・・浮き糸、４・・押さえ糸、５・・芯糸を構成するポリウレタン繊維糸、６・・芯糸を構成する他の繊維糸、１０・・製造装置、１４・・合流部、１５・・仮撚加工部、１８・・延伸加工部、２３・・仮撚スピンドル、２４・・押さえスピンドル、２７・・フィードローラ。
【図１】
2013185286.tif 000003
【図２】
2013185286.tif 000004
【図３】
2013185286.tif 000005
【図４】
2013185286.tif 000006